(57)【要約】【課題】  鉄塔上での作業による墜落事故及び落下事故を防止する防護ネットを低コストかつ合理的に鉄塔に取付けることが出来、防護ネット取付けの際の高所での作業を少なくして墜落事故の起こる危険性を低減し、更に、事故の起こる可能性の高い鉄塔外部での墜落事故も防止できるように防護ネットを張設する鉄塔への防護ネットの取付け方法を提供する。【解決手段】  鉄塔３０の外周よりも大きな環状をなす環状フレーム２０に、鉄塔３０が貫通する開口部を中央に備える防護ネット９を取付け、鉄塔３０を所定区間組立てる毎にこの防護ネット９付きの環状フレーム２０を鉄塔３０上部から被せて、鉄塔３０と環状フレーム２０とを連結部材１４により固定し、防護ネット９の開口部を閉塞することにより、鉄塔３０周囲に防護ネット９を張設する。【選択図】        図９
2006230443.tif 000002
【特許請求の範囲】
【請求項１】
鉄塔の外周よりも大きな環状をなすフレームに、鉄塔が貫通する開口部を中央に備える防護ネットを取付け、鉄塔を所定区間組立てる毎にこの防護ネット付きのフレームを鉄塔上部から被せて、鉄塔とフレームとを連結部材により固定し、防護ネットの開口部を閉塞することにより、鉄塔周囲に防護ネットを張設することを特徴とする鉄塔への防護ネットの取付け方法。
【請求項２】
鉄塔は複数の支柱を備える断面多角形状であり、鉄塔内部に内部ネットを張設し、この内部ネットと防護ネットとを結着することにより、防護ネットの開口部を閉塞する請求項１記載の鉄塔への防護ネットの取付け方法。
【請求項３】
単一支柱の鉄塔を構成する鉄塔構成体と、鉄塔の外周よりも大きな環状をなすフレームとを、連結部材により固定して、鉄塔が貫通する開口部を中央に備える防護ネットをこのフレームに取付け、フレーム及び防護ネット付きの鉄塔構成体を高さ方向に連設し、防護ネットの開口部を閉塞することにより、鉄塔周囲に防護ネットを張設することを特徴とする鉄塔への防護ネットの取付け方法。
【請求項４】
鉄塔の外周を覆う垂直ネットを防護ネットとともに、最下端のフレームを除くフレームに取付けて、この垂直ネット付きフレームを鉄塔に取付けた後に、垂直ネットの下端を下側のフレームに結着して、上下のフレーム間を垂直ネットにより覆う請求項１ないし請求項３のいずれかに記載の鉄塔への防護ネットの取付け方法。
【請求項５】
フレームは、複数の管状部材により構成し、一の管状部材に他の管状部材を挿入し、又は、一の管状部材と他の管状部材とを部分的に重ね合わせて、互いを着脱自在のボルトで固定することにより、伸縮自在に構成する請求項１ないし請求項４のいずれかに記載の鉄塔への防護ネットの取付け方法。
【請求項６】
連結部材は、一端を支柱に巻き回し、他端をフレームに結ぶ索条である請求項１ないし請求項５のいずれかに記載の鉄塔への防護ネットの取付け方法。
【請求項７】
索条は、一端にフックを備え、この索条の他端は、フレームに巻き回すとともに第１の滑り止め金具に縫うように貫通させて固定し、この索条の前記フック付きの一端は、鉄塔の支柱が備える足場ボルト上を通して該支柱に巻き回して、この索条が貫通する第２の滑り止め金具に前記フックを掛けて固定する請求項６に記載の鉄塔への防護ネットの取付け方法。
【発明の詳細な説明】
【技術分野】
【０００１】
本発明は、電気設備及び電気通信設備における鉄塔や、移動体通信用アンテナ等の無線鉄塔など、鋼材を主とする多数の鉄塔構成体を順次高さ方向に連設する鉄塔上での作業中に、作業者の墜落又は作業時の材料若しくは工具の落下を防止するための防護ネットを取付ける、鉄塔への防護ネットの取付け方法に関するものである。
【背景技術】
【０００２】
近年、インターネット接続サービスや携帯電話等の移動体通信に対応すべく、高速かつ大容量の情報通信ネットワークの構築が急務となっている。そのため、無線系電気通信設備やそれに関わる装置の電源線、電力線等の電気設備を鉄塔に設置する工事が進められている。この工事は、鉄塔上部にアンテナ等の装置を設置するとともに、この装置の電源線や電力線等のケーブルを鉄塔上部から電力制御棟まで引き込む作業を行うものであり、多くの作業が鉄塔上で行われる。
【０００３】
また、これらの作業を行う前には、作業者の墜落又は材料若しくは工具の落下を防止するために、鉄塔上部より基礎部へ通常５ｍ間隔程度で防護ネットを作業範囲全てに取付ける必要がある。このように、防護ネットの設置間隔を５ｍと定めているのは、高低差を広く空けすぎると墜落時の落下速度が速くなりすぎるため、防護ネットで受け止めても人体の荷重で延ばされ、人体が鉄塔構造物に接触する可能性が高く、作業者へのダメージが大きく致命傷となり得るからである。
【０００４】
ところで、鉄塔の種類をその形状により分類すると、複数本の支柱を配置して、断面が多角形状となる多角形（主に三角形、四角形）タイプと、１本の支柱からなるタイプ（以下、円形タイプ）とがあるが、まず、多角形タイプの鉄塔に防護ネットを取付ける方法について見ることにする。
【０００５】
従来、防護ネットの取付作業は一般的に、作業者が鉄塔の最上部に登り、最上部の作業位置から順に５ｍ程度の間隔をおいて基礎部まで取付けることにより行う。この防護ネットは、通常、ナイロン製繊維等の網を３ｍ四方から５ｍ四方程度まで編むことにより形成され、各頂点には同じくナイロン製繊維等の接続紐を設けたものが一般的である。
【０００６】
作業者は、地上の基礎部から防護ネットの取付けを行う箇所まで一つずつ防護ネットを引き上げ、又は一括して鉄塔上部の作業台等に引き上げた後に引き下ろしを行い、接続紐を１箇所ずつ鉄塔構造物の梁や柱に結び付ける。このようにして、鉄塔の内側（複数の支柱により囲まれる部分）に防護ネットを張設する。
【０００７】
しかし、この防護ネットを取付けるためには、更に、親網や親ロープ及び補助ロープなどを使用して作業者の安全を確保しなければならず、非常に時間の掛かる効率の悪い作業であったことから、防護ネットを短時間で取付けることができる防護ネットの取付方法が以下の特許文献において提案されている。
【特許文献１】特開２００４−１９４８６７号公報
【０００８】
これは図３４に示すように、最初に防護ネット４４の２頂点の接続紐６３，６４を取付けることができる垂直ロープ４１を鉄塔４０の上部まで引き上げ、その後に防護ネット４４の他の２頂点の接続紐６１，６２を鉄塔４０の鉄塔構造物に取付け、その後に操作竿で垂直ロープ４１を垂直ラダーＡ側に引き寄せ、その後に接続紐６３，６４を垂直ロープ４１に取付けられている昇降調整金具４２のフック金具４５に取付ける。これにより、作業者は梁や筋交い及び柱等の間をくぐって歩き垂直ラダーの反対側部分まで横移動する必要がないため、防護ネットの取付を短時間で行うことができるというものである。
【０００９】
一方、円形タイプの鉄塔に防護ネットを取付ける方法について見ると、従来、電柱上の作業位置より下方に、扇状に開くネットを複数本の骨材に張設して、ネットの基端部を電柱に巻き付けてバンドで固定するものがある。
【００１０】
しかし、このような防護ネットでは、落下物が外側に向かって飛び出た場合に、確実に受け止めることができず、鉄塔の下を通る通行人への接触の危険がある。特に、円形タイプの鉄塔に取付ける場合には、支柱の径の寸法が小さいなどそのまま適用することが困難な事情がある。
【００１１】
このようなものに対して、移動体通信用アンテナなどの円形タイプの鉄塔の支柱に対する取付けと取外しが容易で、かつコンパクトに構成でき、外側へ向かう落下物を受け止めることができる防護ネットが、以下の特許文献において提案されている。
【特許文献２】特開２００３−２５８５１４号公報
【００１２】
これは、図３５に示すように、防護ネット１を、上下の取付金具２、上部支持部材３，下部支持部材４、ネット本体５で構成する。取付金具２は、鋼管柱Ｐに当接する取付け枠の両端部にチェーンを係止し、これを締め込み部材で締め止めるように構成する。上下支持部材３，４は、取付け枠から三本の支持杆１６を鋼管柱Ｐ周りに水平方向へ放射状に張り出させ、その先端部に環状杆１７を夫々連結する。環状杆１７はネット本体５の上下端部に係止してネット本体５を筒状に形成し、内部で移動体通信用アンテナの設置工事を行う作業者を取り囲むように構成する。ネット本体５の下端部は鋼管柱Ｐに巻き回してロープＲで結び止めて係止し、作業中の落下物を受け止めるようにするというものである。
【発明の開示】
【発明が解決しようとする課題】
【００１３】
しかし、鉄塔上部にアンテナ等の装置を設置したり、この装置の電源線や電力線等のケーブルを鉄塔上部から電力制御棟まで引き込むなど、多くの作業を鉄塔上で行うことが予め分かっていながら、前記特許文献２に示すように、鉄塔上での作業を行う前にその都度、防護ネットを鉄塔に取付けることは非合理的であり、不要に多くの手間をかけているといえる。
【００１４】
また、前記特許文献２に示す防護ネットの取付け方法においては、防護ネットを取付けるための作業の多くを鉄塔上で行うことから、この防護ネットの取付け作業中に墜落事故が起こる可能性を考えると、墜落事故の減少という観点からはまだ改良の余地がある。
【００１５】
また、多角形タイプの鉄塔に防護ネットを取付ける場合、特許文献１に示すように、ネットの張設個所は複数の支柱によって囲まれる鉄塔内部に限られてきたが、鉄塔作業の９０％は塔外作業（ボルトは全て外向きのため身を乗り出して作業する）であるため有効率は１０％以下となる。このことから、従来のような防護ネットの張設の仕方では、安全対策としては不充分であった。
【００１６】
なお、鉄塔の最下部外側に張り出しネット（所謂、朝顔）が施されることが多いが、これはあくまでも落下物用であって人身用ではなく、鉄塔上部から作業者が落下した場合、落下距離が大きいために衝撃が大となり、作業者の安全を確保できるものではない。
【００１７】
ところで、なぜ従来は鉄塔外にネットを張らなかったかと言えば、鉄塔外にネットを張るためには、足場の組立てをも要するなど、従来の技術では鉄塔組立と同額程のコストがかかる事と、その足場建設にも危険が伴い、全体的に危険が減少しないことによる。
【００１８】
本発明の目的は前記従来例の不都合を解消し、鉄塔上での作業による墜落事故及び落下事故を防止する防護ネットを低コストかつ合理的に鉄塔に取付けることが出来、防護ネット取付けの際の高所での作業を少なくして墜落事故の起こる危険性を低減し、更に、事故の起こる可能性の高い鉄塔外部での墜落事故も防止できるように鉄塔周囲に防護ネットを張設する鉄塔への防護ネットの取付け方法を提供することにある。
【課題を解決するための手段】
【００１９】
本発明は前記目的を達成するため、請求項１記載の発明は、鉄塔の外周よりも大きな環状をなすフレームに、鉄塔が貫通する開口部を中央に備える防護ネットを取付け、鉄塔を所定区間組立てる毎にこの防護ネット付きのフレームを鉄塔上部から被せて、鉄塔とフレームとを連結部材により固定し、防護ネットの開口部を閉塞することにより、鉄塔周囲に防護ネットを張設することを要旨とするものである。
【００２０】
請求項１記載の本発明によれば、鉄塔の外周よりも大きな環状をなすフレームに、中央に開口部を備える防護ネットを取付け、これを鉄塔に取付けて防護ネットの開口部を塞ぐようにしたから、複数の支柱により囲まれる鉄塔内部で起こる墜落事故のみならず、鉄塔上での作業の多くを占める鉄塔外部での作業による墜落事故をも防ぐように防護ネットを張設することが出来る。なお、単一支柱の鉄塔の場合であっても、鉄塔上で行われる作業は全て鉄塔外部での作業と言えるから、この作用は単一支柱の鉄塔にも当てはまるものである。
【００２１】
また、環状をなすフレームに予め防護ネットを取付けた上で、鉄塔を組立てながらこの防護ネット付きのフレームを鉄塔上部から被せて鉄塔に連結するようにしたから、鉄塔の組立てと同時に防護ネットの取付け作業を進めることが出来、防護ネット取付けのための足場を組む手間とコストが発生せず低コストである。
【００２２】
また、フレームの組立て及びフレームへの防護ネットの取付け作業を予め地上で行うことが出来るから、防護ネット付きのフレームを鉄塔上部からクレーンなどで被せた後に、フレームを鉄塔に連結して防護ネットの開口部を閉塞する作業のみを鉄塔上で行えば足り、従来のように防護ネット取付けのための足場を組む場合に比べて、高所で行う作業を少なくして、墜落事故の起こる危険性を低減することが出来る。
【００２３】
そしてこのように、鉄塔への防護ネットの取付けを鉄塔の組立てと同時に行うようにしたから、鉄塔の組立ての後、鉄塔上で種々の作業を行うことを見越すと、従来のように鉄塔上での作業を行うたびにその直前に防護ネットを取付ける場合に比べて合理的である。
【００２４】
請求項２記載の発明は、鉄塔は複数の支柱を備える断面多角形状であり、鉄塔内部に内部ネットを張設し、この内部ネットと防護ネットとを結着することにより、防護ネットの開口部を閉塞することを要旨とするものである。
【００２５】
請求項２記載の本発明によれば、複数の支柱により囲まれる鉄塔内部には、従来同様に内部ネットを張設し、この内部ネットと防護ネットとを結着することにより、防護ネットの開口部を閉塞するようにしたから、鉄塔の外側から取付ける防護ネットを鉄塔内部まで引き回す必要がなく、鉄塔の内部と外部を確実且つ容易に各ネットで覆うことができる。
【００２６】
請求項３記載の発明は、単一支柱の鉄塔を構成する鉄塔構成体と、鉄塔の外周よりも大きな環状をなすフレームとを、連結部材により固定して、鉄塔が貫通する開口部を中央に備える防護ネットをこのフレームに取付け、フレーム及び防護ネット付きの鉄塔構成体を高さ方向に連設し、防護ネットの開口部を閉塞することにより、鉄塔周囲に防護ネットを張設することを要旨とするものである。
【００２７】
請求項３記載の本発明によれば、環状をなすフレームと鉄塔構成体とを連結部材により固定し、更に、フレームに予め防護ネットを取付けた上で、防護ネット及びフレーム付きの鉄塔構成体を順次高さ方向に連設して鉄塔を組立てていくようにしたから、鉄塔の組立てと同時に防護ネットの取付け作業を進めることが出来、防護ネット取付けのための足場を組む手間とコストが発生せず低コストである。
【００２８】
また、フレームの組立て、フレームと鉄塔構成体との連結、及び、フレームへの防護ネットの取付け作業を予め地上で行うことが出来るから、この鉄塔構成体を組立て途中の鉄塔上部に組み付けた後に、防護ネットの開口部を閉塞する作業のみを鉄塔上で行えば足り、従来のように防護ネット及び防護ネット取付けのための各部材を鉄塔上で取付ける場合に比べて、高所で行う作業を少なくして、墜落事故の起こる危険性を低減することが出来る。
【００２９】
そしてこのように、鉄塔への防護ネットの取付けを鉄塔の組立てと同時に行うようにしたから、鉄塔の組立ての後、鉄塔上で種々の作業を行うことを見越すと、従来のように鉄塔上での作業を行うたびにその直前に防護ネットを取付ける場合に比べて合理的である。
【００３０】
なお、請求項３に記載の本発明は単一支柱の鉄塔に適用するものであり、単一支柱の鉄塔の場合には、鉄塔上で行われる作業は全て鉄塔外部での作業と言え、このように鉄塔の外周よりも大きな環状をなすフレームに防護ネットを取付け、これを鉄塔に取付けて防護ネットの開口部を塞ぐことにより、事故の起こる可能性の高い鉄塔外部での墜落事故も防止できるように鉄塔周囲に防護ネットを張設することが出来る。
【００３１】
請求項４記載の発明は、鉄塔の外周を覆う垂直ネットを防護ネットとともに、最下端のフレームを除くフレームに取付けて、この垂直ネット付きフレームを鉄塔に取付けた後に、垂直ネットの下端を下側のフレームに結着して、上下のフレーム間を垂直ネットにより覆うことを要旨とするものである。
【００３２】
請求項４記載の本発明によれば、道路や家屋の近接現場など、作業者以外の人通りの多い場所に設置する鉄塔上で作業する場合であっても、上下のフレーム間を覆う垂直ネットが閉空間を形成し、全ての落下物を包み込むから、鉄塔の下を通る人々に落下物が当って起こる事故を確実に防止することができる。
【００３３】
請求項５記載の発明は、フレームは、複数の管状部材により構成し、一の管状部材に他の管状部材を挿入し、又は、一の管状部材と他の管状部材とを部分的に重ね合わせて、互いを着脱自在のボルトで固定することにより、伸縮自在に構成することを要旨とするものである。
【００３４】
請求項５記載の本発明によれば、鉄塔の上部と下部とでは外周が異なるような場合であっても、管状部材へのボルトの固定位置を変えてフレームを伸縮させることにより、フレームの大きさを防護ネットを取付ける鉄塔各部の外周に合わせることができる。これにより、鉄塔の外周面からフレームまでの距離を適当に設定して、防護ネットを適当な広さに張設することができる。
【００３５】
請求項６記載の発明は、連結部材は、一端を支柱に巻き回し、他端をフレームに結ぶ索条であることを要旨とするものである。
【００３６】
請求項６記載の本発明によれば、支柱に巻き回し又はフレームに結ぶ索条の長さを調節することで、鉄塔の支柱とフレームとの間の距離に応じて連結部材の長さを柔軟に調節ことができる。
【００３７】
請求項７記載の発明は、索条は、一端にフックを備え、この索条の他端は、フレームに巻き回すとともに第１の滑り止め金具に縫うように貫通させて固定し、この索条の前記フック付きの一端は、鉄塔の支柱が備える足場ボルト上を通して該支柱に巻き回して、この索条が貫通する第２の滑り止め金具に前記フックを掛けて固定することを要旨とするものである。
【００３８】
請求項７記載の本発明によれば、フレームに巻き回した索条を第１の滑り止め金物に縫うように貫通させて固定しておけば、索条のフックを備える一端を鉄塔の支柱に巻き回して、このフックを索条が貫通する第２の滑り止め金物に掛けるだけで、支柱とフレームとを連結することができるから、複雑な部材を使用せずとも支柱とフレームとを容易に連結することができる。また、索条を支柱に巻き回す際、索条は支柱が備える足場ボルトの上を通すようにしたから、別途部材を使用せずとも、索条の上下位置を固定することができる。
【発明の効果】
【００３９】
本発明の鉄塔への防護ネットの取付け方法は、鉄塔上での作業による墜落事故及び落下事故を防止する防護ネットを低コストかつ合理的に鉄塔に取付けることが出来、防護ネット取付けの際の高所での作業を少なくして墜落事故の起こる危険性を低減し、更に、事故の起こる可能性の高い鉄塔外部での墜落事故も防止することができるように鉄塔周囲に防護ネットを張設することができる。
【発明を実施するための最良の形態】
【００４０】
以下、図面について本発明の実施形態を詳細に説明する。図１は本発明の鉄塔への防護ネットの取付け方法の第１実施形態に使用する環状をなすフレーム（以下、環状フレーム）を示す正面図である。
【００４１】
環状フレーム２０は、支柱を断面四角形に配置する四角形タイプの鉄塔に使用する防護ネットを支承する枠体であり、金属製パイプよりなる角フレーム１０、第１支持フレーム１１、及び、第２支持フレーム１２により構成する。
【００４２】
角フレーム１０は図２に示すように、金属製パイプを９０度の角度をなすよう緩やかに折り曲げて構成し、１辺の長さを２０００ｍｍとする。また、第１支持フレーム１１は図３に示すように、長さ３６６０ｍｍの直線状の金属製パイプであり、第２支持フレーム１２は図４に示すように、長さ３６２０ｍｍの直線状の金属製パイプである。
【００４３】
また、各部材の端部から所定の位置に、ボルト孔を穿設する。例えば、角フレーム１０の端から１５０ｍｍの位置において長孔１０ａを両端側に穿設し、第１支持フレーム１１の端から４００ｍｍの位置において長孔１１ａを両端側に穿設し、第２支持フレーム１２の端からそれぞれ６０ｍｍ、６６０ｍｍ、１２６０ｍｍの位置において孔１２ａを両端側に穿設する。
【００４４】
ここで、角フレーム１０及び第１支持フレーム１１を構成する金属パイプの外径は４７．８ｍｍ、内径は４２．８ｍｍであり、第２支持フレーム１２を構成する金属パイプの外径は４１．９ｍｍ、内径は３６．９ｍｍであり、第２支持フレーム１２の両端をそれぞれ角フレーム１０及び第１支持フレーム１１に嵌入して、それぞれの長孔１０ａ、１１ａ及び孔１２ａの位置を合わせてボルトにより螺子止め固定して環状フレーム２０を組立てる。
【００４５】
第２支持フレーム１２には両端から複数の位置に孔１２ａを設けたから、各部材の長孔１０ａ、１１ａ及び孔１２ａの位置を調節することにより、環状フレーム２０の１辺の長さを４８００ｍｍから６６３０ｍｍまで、伸縮自在に変化させることが出来る。
【００４６】
このようにして形成した環状フレーム２０に沿って防護ネットを取付け、鉄塔に取付ける様子について説明する。図５に示すように、防護ネット９は、例えば網目が１５〜１００ｍｍのポリエステル製ラッセルネットであり、中央に開口部９ａを有するとともに、周囲にナイロン製の縁ロープ９ｂを備える。また、環状フレーム２０は、鉄塔の取付け位置での外周よりも大きな環状となるよう、伸縮させて大きさを調節する。そして防護ネット９を、地上において縁ロープ９ｂを環状フレーム２０に沿って結着することにより取付け、更に、別途用意する紐９ｃで束ねて環状フレーム２０に括り付けておく。
【００４７】
また、地上において、連結部材としての連結紐１４を予め環状フレーム２０に取り付けておく。連結紐１４は図６に示すように、例えばナイロン製の紐であり、一端に開閉式のフック１４ａを備える。
【００４８】
この連結紐１４を環状フレーム２０と鉄塔の支柱とに取り付ける際には、更に図７に示す第１の滑り止め金具５０と、図８に示す第２の滑り止め金具５１とを使用する。
【００４９】
第１の滑り止め金具は図７に示すように、略三角形状の金属板であり、連結紐１４が貫通可能な大きさの孔５０ａを３つ穿設したものである。また、第２の滑り止め金具は図８に示すように、金属板をへの字型に屈曲し、連結紐１４が貫通可能な大きさの孔５１ａを両側に穿設したものである。
【００５０】
この連結紐１４を環状フレーム２０に取り付ける際には、図５に示すように、予め第２の滑り止め金具５１の孔５１ａの一つに連結紐１４を貫通させた状態で、第１の滑り止め金具５０の孔ａの一つに連結紐１４の他端（フック１４ａの反対側端）を通して更に環状フレーム２０に巻き回し、残りの２つの孔５０ａに縫うように貫通させて固定する。このような連結紐１４を、例えば環状フレーム２０のそれぞれの角部を挟む両側に、合計８本取り付ける。
【００５１】
次に、図９に示すように、これを組立て途中の鉄塔３０に取付ける。鉄塔３０は４本の支柱３０ａを有する四角形タイプの鉄塔であり、複数の鉄塔構成体を組立てることにより構成する。図９において、鉄塔３０は組立て途中であり、適当なところまで組立てた段階で、環状フレーム２０に吊りロープ８を取付け、クレーン車７によって環状フレーム２０を吊り上げ、鉄塔３０上に被せるようにする。
【００５２】
次に、環状フレーム２０から吊りロープ８を取り外し、連結紐１４を鉄塔３０に固定する。図１０に示すように、連結紐１４のフック１４ａを備える側の端を鉄塔３０の支柱３０ａに巻き回し、予め貫通させておいた第２の滑り止め金具５１の残りの孔５１ａにフック１４ａを掛ける。第２の滑り止め金具５１はへの字状に屈曲しているから、フック１４ａにより引っ張られることで孔５１ａが連結紐１４に対して傾いた状態となり、フック１４ａをそのまま連結紐１４に掛ける場合に比べて滑りにくく安定して固定することができる。
【００５３】
また、連結紐１４を支柱３０ａに巻き回すとき、作業者の昇降用の足場として支柱３０ａに備える足場ボルト３０ｂの上を連結紐１４が通るようにする。これにより、別途部材を使用しなくても、連結紐１４が重力方向にずり下がるのを防止して上下位置を固定することができる。
【００５４】
次に、防護ネット９を束ねていた紐を解き、防護ネット９を鉄塔３０側へと引き寄せる。このとき、支柱３０ａを避けるようにして防護ネット９に切り込みを入れるなどして防護ネット９を鉄塔３０内部に引き回し、開口部９ａを紐で綴じるなどして閉塞しても良いが、後に鉄塔を昇降することを考慮して、後述の第２実施例に示すように、鉄塔３０の防護ネット９の取付け位置に、開閉式昇降口を供える内部ネットを予め張設して、防護ネット９の開口部と内部ネットとを結着するようにしても良い。
【００５５】
前記作業を繰り返し、鉄塔３０の組立てと防護ネット９の取付けを完了させた状態を図１１に示す。なお、上下の防護ネット９の間隔は、作業者が落下した際の衝撃が大きくならないよう、５ｍ以下とする。また、環状フレーム２０の大きさは、鉄塔３０の取付け位置での外周よりも大きくなるよう設定したが、後述のように、後に防護ネット９を引き降ろすことを考慮して、鉄塔３０の外周が最大となる最下端での外周の大きさよりも大きくてもよい。
【００５６】
次に、本発明の鉄塔への防護ネットの取付け方法の第２実施形態について説明する。図１２は、支柱を断面三角形に配置する三角形タイプの鉄塔に使用する防護ネットを支承する環状フレームの正面図である。環状フレーム２１は、先の第１実施形態同様、金属製パイプからなる各部材により構成するが、角を構成する角フレーム１３の曲げ角度を６０度とする。
【００５７】
環状フレーム２１は、金属製パイプよりなる角フレーム１３と、第１実施形態と同じ第１支持フレーム１１、及び、第２支持フレーム１２により構成する。角フレーム１３は図１３に示すように、金属製パイプを６０度の角度をなすよう緩やかに折り曲げて構成し、１辺の長さを９００ｍｍとする。また、端から１１０ｍｍの位置において孔１３ａを両端側に穿設する。
【００５８】
角フレーム１３を構成する金属製パイプの外径は３１．８ｍｍ、内径は２９．０ｍｍであり、第２支持フレーム１２の一端を第１支持フレーム１１に嵌入するとともに、角フレーム１３の両端を第２支持フレーム１２の他端に嵌入して、それぞれの長孔１１ａ及び孔１２ａ、１３ａの位置を合わせてボルトにより螺子止め固定して環状フレーム２１を組立てる。
【００５９】
そして、各部材の長孔１１ａ及び孔１２ａ、１３ａの位置を調節することにより、環状フレーム２１の１辺の長さを４７８７ｍｍから５９８７ｍｍまで、伸縮自在に変化させることが出来る。
【００６０】
このようにして形成した環状フレーム２１に沿って防護ネットを取付け、鉄塔に取付ける様子を図１４に示す。防護ネット９は、例えば前記第１実施例同様、中央に開口部を有するとともに周囲に縁ロープを備えるポリエステル製ラッセルネットである。また、環状フレーム２１は、鉄塔３０の取付け位置での外周よりも大きな環状となるよう、伸縮させて大きさを調節する。そして防護ネット９を、地上において環状フレーム２１に沿って取付けて、紐（不図示）で束ねて環状フレーム２１に括り付けておく。
【００６１】
また、環状フレーム２１の角部に、環状フレーム２１と鉄塔３１とを連結する連結部材としての連結棒１５を取付けておく。連結棒１５は、例えばその一端に環状フレーム２１を把持するクランプ（不図示）を設け、他端に鉄塔３１の支柱３１ａを把持するクランプ（不図示）を設けることにより構成する。なお、この作業も、地上において行う。
【００６２】
次に、これを組立て途中の鉄塔３１に取付ける前に、防護ネット９の取付け位置となる鉄塔３１の内部に予め内部ネットを張設する。図１５に示すように、内部ネット６は、例えば網目が１５〜１００ｍｍのポリエステル製ラッセルネットであり、鉄塔３１の支柱３１ａによって囲まれる空間と同じ三角形状である。そして、その周囲にナイロン製の結着紐（不図示）を備えるとともに、１つの角部に開閉式昇降口６ａを設ける。
【００６３】
開閉式昇降口６ａは、例えば、内部ネット６の角部付近に作業者が通れる大きさの開口部を形成するとともに、この開口部を覆うようにして三角形状の覆い用ネットを配置し、開口部を挟む内部ネット６の２辺と覆い用ネットの２辺とを重ね合わせて結着して構成する。
【００６４】
そして、鉄塔３１の防護ネット９の取付け位置に、内部ネット６を配置し、結着紐により鉄塔３１の支柱３１ａ等に結着して張設した後、図９に示すように、鉄塔３１の上部から、防護ネット９を取付けた環状フレーム２１を配置する。
【００６５】
鉄塔３１は３本の支柱３１ａを有する三角形タイプの鉄塔であり、複数の鉄塔構成体を組立てることにより構成する。図９において、鉄塔３１は組立て途中であり、適当なところまで組立てた段階で、環状フレーム２１に吊りロープ８を取付け、クレーン車７によって環状フレーム２１を吊り上げ、鉄塔３１上に被せるようにする。
【００６６】
次に、環状フレーム２１から吊りロープ８を取り外し、連結棒１５により鉄塔３１の支柱３１ａに結着する。そして、防護ネット９を束ねていた紐を解き、防護ネット９を鉄塔３１側へと引き寄せ、防護ネット９の開口部と内部ネット６とを結着紐（不図示）により結着し、防護ネット９の開口部を閉塞する。
【００６７】
更に図１６に示すように、鉄塔３１が道路や家屋に近接する現場においては、垂直ネット３３で鉄塔３１の周囲を覆って全ての落下物を包み込むようにすることが好ましい。
【００６８】
垂直ネット３３の取付け方は、まず、地上において環状フレーム２１に防護ネット９を取付ける際に、同時に、環状フレーム２１に垂直ネット３３も取付けて、両ネット９、３３を束ねて環状フレーム２１に括り付けておく。なお、垂直ネット３３は後述のように、上下の環状フレーム２１間に張設するものであるため、最下端の環状フレーム２１に取付ける必要はない。
【００６９】
また後述のように、後に垂直ネット３３を撤去することを考えて、垂直ネット３３を環状フレーム２１に架渡す際には、垂直ネット３３の網目に環状フレーム２１を貫通させるのではなく、環状フレーム２１に紐で括り付けることにより取付ける。
【００７０】
そして図９に示すように、先と同様にして環状フレーム２１を鉄塔３１に取付け、両ネット９、３３を束ねていた紐を解いて防護ネット９を張設した後に、図１６に示すように、垂直ネット３３を下げてゆき、その下端を下側に位置する環状フレーム２１に結着する。
【００７１】
これにより、鉄塔３１の垂直方向のみならず、水平方向をも覆うことができ、鉄塔３１上のどこで作業しても作業者の墜落事故や作業道具の落下による事故を防ぐことが出来る。なお、この場合、防護ネット９、内部ネット６、及び垂直ネット３３により、作業個所が全方向において覆われることになるが、作業者は内部ネット６の開閉式昇降口６ａから鉄塔内を移動することが出来る。
【００７２】
ところで、鉄塔に環状フレームを連結する方法としては、前記第１実施例で説明したように連結紐１４を用いたり、第２実施例で説明したように連結棒１５を用いるほか、以下のようにして結着するようにしても良い。
【００７３】
図１７に示すように、三角形状の環状フレーム２１を組立て、環状フレーム２１の２辺を結ぶようにして渡し棒３６を螺子止め固定した後に、防護ネット９及び垂直ネット３３を取付け、紐で束ねておく。そしてこれを図９に示すようにクレーン車７で吊り上げ、組立て途中の鉄塔３１の上に移動する。
【００７４】
ここで、環状フレーム２１には、その角部と渡し棒３６とにより仕切り空間３６ａが形成されており、鉄塔３１の各支柱３１ａを各仕切り空間３６ａに挿入するようにして、環状フレーム２１を降ろす。すると、渡し棒３６が鉄塔３１の梁３５に当接し、環状フレーム２１が梁３５上に載置された状態となる。
【００７５】
そして、渡し棒３６と梁３５とを索条（不図示）等により結着することにより、環状フレーム２１と鉄塔３１とを連結する。その後、前記同様に、防護ネット９及び垂直ネット３３を束ねていた紐を解き、防護ネット９と内部ネット６とを結着して防護ネット９の開口部を閉塞し、垂直ネット３３を降ろして下端を下側の環状フレーム２１に結着して固定する。
【００７６】
次に、本発明の鉄塔への防護ネットの取付け方法の第３実施形態について説明する。図１８は、支柱が１本である円形タイプの鉄塔に使用する防護ネットを支承する環状フレームとその周辺部の側面図、図１９は同上正面図である。
【００７７】
まず、図１８及び図１９に示す環状フレーム２２を構成する各部材について説明する。環状フレーム２２は、図２０に示す第１円弧フレーム２４と、図２１に示す第２円弧フレーム２５とにより構成し、両円弧フレーム２４、２５はいずれも外径が３１．８ｍｍ、内径が２９．０ｍｍの金属製パイプを緩やかに曲げて円弧状に形成したものである。また、両円弧フレーム２４、２５はいずれも端から１２０ｍｍ及び４２０ｍｍの位置において孔２５ａを両端側に穿設する。
【００７８】
次に、この環状フレーム２２を鉄塔に連結する各部材について説明する。図２２に示すように、環状フレーム２２と鉄塔の支柱との間に架渡す腕部材２６は、外径が３１．８ｍｍ、内径が２９．０ｍｍの金属製パイプにより形成し、下端側（図中右側）寄りの位置を湾曲部２６ａとする。
【００７９】
また、図２３に示すように、環状フレーム２２と腕部材２６とを連結する結合金具２７は、外径が４１．９ｍｍ、内径が３６．９ｍｍの金属製パイプをＴ字型に溶接加工したもので、先端部２７ａと基端部２７ｂとにそれぞれ螺子止め用の孔２７ｃ、２７ｄを穿設する。
【００８０】
また、図２４に示すように、腕部材２６と鉄塔の支柱とを連結する取付け金具２８は、鉄塔の支柱に巻きつける２本の金属製の帯体２８ａと、帯体２８ａの長さ方向沿って多数穿設する孔２８ｂと、帯体２８ａに垂直に略等間隔で固定する管体２８ｃと、帯体２８ａの一端に設ける留め針２８ｄとにより構成する。なお、管体２８ｃの帯体２８ａへの固定は、孔２８ｂに針金を通して管体２８ｃに巻き回すか、溶接により行う。また、管体２８ｃは外径が４１．９ｍｍ、内径が３６．９ｍｍの金属製パイプにより構成する。すなわち、管体２８ｃ及び結合金具２７の内径は、腕部材２６の外径よりも大きい。
【００８１】
次に、防護ネットを鉄塔の支柱に取付ける手順について説明する。まず、図１８及び図１９に示すように、地上において、防護ネットを支承する環状フレーム２２を鉄塔の支柱となる鉄塔構成体３４に連結する。なお、鉄塔構成体３４は円筒状の鉄柱であり、複数の鉄塔構成体を地面から順次高さ方向に連設して鉄塔の支柱を形成するものである。
【００８２】
環状フレーム２２の鉄塔構成体３４への取付け方法は、まず、取付け金具２８の帯体２８ａを鉄塔構成体３４の外周に巻き、留めピン２８ｄを孔２８ｂに挿入して先端を曲げて留める。次に、取付け金具２８の管体２８ｃに上から腕部材２６の下端を挿入し、腕部材２６の先端に結合金具２７の基端部２７ｂを嵌着して、孔２７ｄにおいてボルト（不図示）により螺子止め固定する。このようにして、腕部材２６及び結合金具２７の基端部２７ｂにより、連結部材としての連結棒２３を構成する。
【００８３】
次に、結合金具２７の先端部２７ａに、第１円弧フレーム２４及び第２円弧フレーム２５を挿入して、両円弧フレーム２４、２５の孔２４ａ、２５ａを重ね合わせ、ボルトにより両円弧フレーム２４、２５を螺子止め固定する。この孔２４ａ、２５ａの重ね合わせ位置を調節することにより、環状フレーム２２の大きさを伸縮自在に設定することが出来る。
【００８４】
その後、図２５に示すように、鉄塔構成体３４を吊りロープ８により、地上にいる作業者が作業し易い高さに吊った状態で、開口部９ａを有する防護ネット９を環状フレーム２２に沿って取付ける。なお、ここまでの作業を、地上若しくは地上付近において行うことが出来る。
【００８５】
次に、この鉄塔構成体３４をクレーン車７（図２５において不図示）により、組立て途中の鉄塔３２上に連設し、防護ネット９の開口部９ａを紐等で支柱３２ａに縛り付けて閉塞する（図２６）。この作業を順次繰り返すことにより、鉄塔３２を組立てながら、防護ネット９を取付けることが出来る。
【００８６】
なお、鉄塔３２の頭部にはアンテナ２９を配置するが、アンテナ２９付近での作業も多いことから、図２７に示すように、アンテナ２９の下側にも防護ネットを９取付けるようにする。アンテナ２９は、鉄塔３２の支柱３２ａとなる鉄塔構成体３４を中心として、その周囲にアンテナ部２９ａを配置するようにしており、鉄塔構成体３４よりも大きな環状をなして不図示の連結棒により鉄塔構成体３４に連結する円形の環状フレーム４３により、アンテナ部２９ａを支持する。
【００８７】
このようなアンテナ２９の環状フレーム４３に、地上付近において前記同様に開口部９ａを有する防護ネット９を取付け、これをクレーン車により鉄塔３２上に吊り上げ、鉄塔３２の上端に連設し、防護ネット９の開口部９ａを紐等で支柱３２ａに縛り付けて閉塞する（図２８）。これにより、鉄塔３２上から作業者が墜落したり、作業道具が落下しても、防護ネット９によりこれを受け止めることが出来る。なお、本実施例においても、民家や人通りの多い場所での周囲の人々の安全をより確実に確保するため、先の第１及び第２実施形態と同様にして、垂直ネット３３を取付けて、鉄塔３２の周囲全体を覆うようにしてもよい。
【００８８】
円形タイプの鉄塔３２の場合には、支柱３２ａが１本であることから、地上において鉄塔構成体３４に環状フレーム２２を予め取付けることが容易であり、このように、防護ネット９を取付けるため鉄塔３２上で行う作業を、防護ネット９の開口部９ａを閉塞する作業のみとすることができる。このため、従来のように防護ネット９及び防護ネット９の取付けのための各部材を鉄塔３２に取付ける作業を鉄塔３２上で行う場合に比べて、高所で行う作業を少なくして、墜落事故の起こる危険性を低減することが出来る。
【００８９】
そしてこのように、鉄塔３２への防護ネット９の取付けを鉄塔３２の組立てと同時に行うようにしたから、鉄塔３２の組立ての後、鉄塔３２上で種々の作業を行うことを見越すと、従来のように鉄塔３２上での作業を行うたびにその直前に防護ネット９を取付ける場合に比べて合理的である。
【００９０】
ところで、垂直ネット３３は従来のように水平に張設するネットに比べ、風の影響をより多く受けるものであり、また、鉄塔から墜落した作業者を防護ネット９で受け止める際、衝撃を少なくするよう防護ネット９に余裕を持たせて張設した場合には、防護ネット９自身も風の影響を受けやすくなるが、以下のようにすれば、容易にこれらのネット９、３３について、強風時の養生及び撤去を行うことが出来る。
【００９１】
三角形タイプの鉄塔３１を例にとって説明すると、まず図２９に示すように、上下の環状フレーム２１間に張設する垂直ネット３３の上端を上段の環状フレーム２１に結着する縛り紐３８を、上段の環状フレーム２１側にいる作業者（不図示）が解く。
【００９２】
次に、図３０に示すように、上段の環状フレーム２１側にいる作業者が持つロープ３９の端に、縛り紐３８により垂直ネット３３の上端を縛り付け、ロープ３９を繰り出しながら降ろすことにより、上段の環状フレーム２１から下段の環状フレーム２１に向かって垂直ネット３３を巻き下げていく。
【００９３】
垂直ネット３３を全て下段の環状フレーム２１まで降ろしたら、図３１に示すように、下段の環状フレーム２１側にいる作業者（不図示）が垂直ネット３３を下段の環状フレーム３２に束ねて縛り付け、固定する。そして図３２に示すように、更に防護ネット９の開口部の閉塞を解いて防護ネット９を環状フレーム２１側に手繰り寄せ、環状フレーム２１に縛り付けて固定する。
【００９４】
このようにすれば、垂直ネット３３及び防護ネット９が風の影響を強く受けることがない。そして、作業者が鉄塔３１上で行う作業は、両ネット９、３３の結着を解いて１の環状フレーム２１側に両ネット９、３３を寄せて束ねるだけだから、複雑な作業を数多く行う必要がない。
【００９５】
更にその後、垂直ネット３３及び防護ネット９を撤去する際には、前記のようにして両ネット９、３３を束ねて環状フレーム２１に縛り付けた状態で、地上にいる作業者１９が持つロープ３７をアンテナ２９の下側に取付けた滑車１８に架けて、環状フレーム２１に結びつける。
【００９６】
その後、鉄塔３１上の作業者（不図示）が連結棒１５を取り外し、地上の作業者１９がロープ３７を繰り出すことにより環状フレーム２１を降ろしていく。この作業を繰り返し、環状フレーム２１を１つづつ降ろす。
【００９７】
これにより、防護ネット９及び垂直ネット３３を完全に撤去することが出来る。また、両ネット９、３３を撤去するために作業者が鉄塔３１上で行う作業はロープ３７を環状フレーム２１に結びつけて連結棒１５を取り外すのみであるから、複雑な作業を数多く行う必要がない。
【００９８】
なお、環状フレーム２１を降ろすためのロープ３７を、垂直ネット３３を巻き降ろす際に使用したロープ３９と兼用すれば、鉄塔３１上で行う作業を更に少なくすることが出来る。このとき、両ネット９、３３を縛り付けた環状フレーム２１の重量は１つ当り約５０ｋｇほどになることから、後に両ネット９、３３の撤去まで行う場合には、その荷重に耐えうるロープを使用して垂直ネット３３を巻き降ろすようにする。
【００９９】
また、後に両ネット９、３３の撤去を予定している場合には、鉄塔３１を組立てる際に、予めアンテナ２９の下側に滑車１８を取付けておくことが好ましい。
【図面の簡単な説明】
【０１００】
【図１】本発明の鉄塔への防護ネットの取付け方法の第１実施形態に使用する環状フレームを示す正面図である。
【図２】第１実施形態における環状フレームを構成する角フレームの正面図である。
【図３】環状フレームを構成する第１支持フレームの正面図である。
【図４】環状フレームを構成する第２支持フレームの正面図である。
【図５】防護ネット及び連結紐が取り付けられる環状フレームの部分を示す拡大図である。
【図６】連結紐の正面図である。
【図７】第１の滑り止め金具の正面図である。
【図８】第２の滑り止め金具の斜視図である。
【図９】本発明の鉄塔への防護ネットの取付け方法の第１実施形態を示す側面図である。
【図１０】連結紐を取り付ける支柱の部分拡大図である。
【図１１】防護ネットを取付けた状態を示す側面図である。
【図１２】本発明の鉄塔への防護ネットの取付け方法の第２実施形態に使用する環状フレームを示す正面図である。
【図１３】第２実施形態における環状フレームを構成する角フレームの正面図である。
【図１４】本発明の鉄塔への防護ネットの取付け方法の第２実施形態を示す側面図である。
【図１５】防護ネットを張設した鉄塔を示す横断正面図である。
【図１６】防護ネット及び垂直ネットを張設した鉄塔を示す全体側面図である。
【図１７】環状フレームを鉄塔に取付ける他の方法を示す説明図である。
【図１８】本発明の鉄塔への防護ネットの取付け方法の第３実施形態に使用する環状フレーム付近の構成を示す側面図である。
【図１９】本発明の鉄塔への防護ネットの取付け方法の第３実施形態に使用する環状フレーム付近の構成を示す正面図である。
【図２０】第３実施形態の環状フレームを構成する第１円弧フレームの正面図である。
【図２１】第３実施形態の環状フレームを構成する第２円弧フレームの正面図である。
【図２２】第３実施形態において使用する腕部材の側面図である。
【図２３】第３実施形態において使用する結合金具の正面図である。
【図２４】第３実施形態において使用する取付金具の側面図である。
【図２５】第３実施形態における第１段階を示す側面図である。
【図２６】第３実施形態における第２段階を示す側面図である。
【図２７】第３実施形態における第３段階を示す側面図である。
【図２８】第３実施形態における第４段階を示す側面図である。
【図２９】垂直ネットの取り外し方法の第１段階を示す説明図である。
【図３０】垂直ネットの取り外し方法の第２段階を示す説明図である。
【図３１】垂直ネットの取り外し方法の第３段階を示す説明図である。
【図３２】垂直ネット及び防護ネットを束ねて養生した状態を示す全体側面図である。
【図３３】垂直ネット及び防護ネットを撤去する方法を示す側面図である。
【図３４】従来の防護ネットの取付け方法を示す斜視図である。
【図３５】従来の防護ネットの他の取付け方法を示す側面図である。
【符号の説明】
【０１０１】
１  防護ネット                  ２  取付金具
３  上部支持部材                ４  下部支持部材
５  ネット本体                  ６  内部ネット
６ａ  開閉式昇降口              ７  クレーン車
８  吊りロープ                  ９  防護ネット
９ａ  開口部                    ９ｂ  縁ロープ
９ｃ  紐                        １０  角フレーム
１０ａ  長孔                    １１  第１支持フレーム
１１ａ  長孔                    １２  第２支持フレーム
１２ａ  孔                      １３  角フレーム
１３ａ  孔                      １４  連結紐
１４ａ  フック
１５  連結棒                    １６  支持杆
１７  環状杆                    １８  滑車
１９  作業者                    ２０、２１、２２  環状フレーム
２３  連結棒                    ２４  第１円弧フレーム
２４ａ  孔                      ２５  第２円弧フレーム
２５ａ  孔                      ２６  腕部材
２６ａ  湾曲部                  ２７  結合金具
２７ａ  先端部                  ２７ｂ  基端部
２７ｃ、２７ｄ  孔              ２８  取付金具
２８ａ  帯体                    ２８ｂ  孔
２８ｃ  管体                    ２８ｄ  留め針
２９  アンテナ                  ２９ａ  アンテナ部
３０、３１、３２  鉄塔          ３０ａ、３１ａ、３２ａ  支柱
３０ｂ  足場ボルト
３３  垂直ネット                ３４  鉄塔構成体
３５  梁                        ３６  渡し棒
３６ａ  仕切り空間              ３７  ロープ
３８  縛り紐                    ３９  ロープ
４０  鉄塔                      ４１  垂直ロープ
４２  昇降調整金具              ４３  環状フレーム
４４  防護ネット                ４５  フック金具
５０  第１の滑り止め金具        ５０ａ  孔
５１  第２の滑り止め金具        ５１ａ  孔
６１、６２、６３、６４  接続紐
Ａ  垂直ラダー                  Ｐ  鋼管柱
Ｒ  ロープ
【図１】
2006230443.tif 000003
【図２】
2006230443.tif 000004
【図３】
2006230443.tif 000005
【図４】
2006230443.tif 000006
【図５】
2006230443.tif 000007
【図６】
2006230443.tif 000008
【図７】
2006230443.tif 000009
【図８】
2006230443.tif 000010
【図９】
2006230443.tif 000011
【図１０】
2006230443.tif 000012
【図１１】
2006230443.tif 000013
【図１２】
2006230443.tif 000014
【図１３】
2006230443.tif 000015
【図１４】
2006230443.tif 000016
【図１５】
2006230443.tif 000017
【図１６】
2006230443.tif 000018
【図１７】
2006230443.tif 000019
【図１８】
2006230443.tif 000020
【図１９】
2006230443.tif 000021
【図２０】
2006230443.tif 000022
【図２１】
2006230443.tif 000023
【図２２】
2006230443.tif 000024
【図２３】
2006230443.tif 000025
【図２４】
2006230443.tif 000026
【図２５】
2006230443.tif 000027
【図２６】
2006230443.tif 000028
【図２７】
2006230443.tif 000029
【図２８】
2006230443.tif 000030
【図２９】
2006230443.tif 000031
【図３０】
2006230443.tif 000032
【図３１】
2006230443.tif 000033
【図３２】
2006230443.tif 000034
【図３３】
2006230443.tif 000035
【図３４】
2006230443.tif 000036
【図３５】
2006230443.tif 000037